【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
ネットワークを介して複数の機器を認識する機器認識部、
前記機器認識部によって認識された機器のうちの特定の機器の組み合わせについて、前記機器の組み合わせによってユーザに提供される機能、および前記機器の組み合わせの能力に関する機器情報を取得する機器情報取得部、
前記機器情報に基づいて、前記機能および前記機器の組み合わせの能力の一方または両方を示す情報を含む通知情報を生成する通知情報生成部、ならびに
前記通知情報を出力する通知部
を備える情報処理装置。
【請求項２】
前記ユーザが前記機能、または前記機器の組み合わせを利用した履歴に関する利用履歴情報を取得する利用履歴情報取得部をさらに含み、
前記通知情報生成部は、前記利用履歴情報にさらに基づいて、前記機能および前記機器の組み合わせの能力の一方または両方を評価する情報を含む前記通知情報を生成する、
請求項１に記載の情報処理装置。
【請求項３】
前記利用履歴情報は、前記機能の前記ユーザによる利用頻度の情報を含み、
前記通知情報生成部は、前記ユーザによる利用頻度がより高い前記機能をより高く評価する情報を含む前記通知情報を生成する、
請求項２に記載の情報処理装置。
【請求項４】
前記利用履歴情報、および前記評価の結果に基づいて、前記ユーザに推薦すべき、前記機能および前記組み合わせの一方または両方を特定する推薦部をさらに備え、
前記通知部は、前記推薦部によって特定された前記機能および前記組み合わせの一方または両方をさらに含む通知情報を生成する、
請求項２または３に記載の情報処理装置。
【請求項５】
前記利用履歴情報は、前記機器の組み合わせの前記ユーザによる利用頻度の情報を含み、
前記推薦部は、前記評価が第１の所定の閾値を上回る前記機器の組み合わせのうち、前記機器の組み合わせの利用頻度が第２の所定の閾値を下回る前記機器の組み合わせを特定する、
請求項４に記載の情報処理装置。
【請求項６】
前記ネットワークを介して前記複数の機器を自動的に設定する機器設定部をさらに備える、
請求項４または５に記載の情報処理装置。
【請求項７】
前記複数の機器を設定する手順に関する設定手順情報を取得する設定手順情報取得部をさらに備え、
前記通知部は、前記設定手順情報をさらに含む通知情報を生成する、請求項４〜６のいずれか１項に記載の情報処理装置。
【請求項８】
前記機器情報取得部は、前記機器情報を前記ネットワークに接続され前記複数の機器に関する情報が格納されたデータベースから取得する、
請求項１〜７のいずれか１項に記載の情報処理装置。
【請求項９】
前記機器認識部は、さらに、前記複数の機器に追加、または前記複数の機器のうちのいずれかを代替しうる機器を認識する、
請求項１〜８のいずれか１項に記載の情報処理装置。
【請求項１０】
前記通知部は、前記ネットワークを介して、前記複数の機器のうちの少なくともいずれかを通じて、前記通知情報を出力する、
請求項１〜９のいずれか１項に記載の情報処理装置。
【請求項１１】
前記通知部は、前記機器の同じ組み合わせによって提供される、相異なる前記機能について、前記通知情報を生成する、請求項１〜１０のいずれか１項に記載の情報処理装置。
【請求項１２】
前記通知部は、同じ前記機能を提供する、前記機器の相異なる組み合わせについて、前記通知情報を生成する、請求項１〜１１のいずれか１項に記載の情報処理装置。
【請求項１３】
前記機能は、コンテンツの再生機能である、請求項１〜１２のいずれか１項に記載の情報処理装置。
【請求項１４】
前記機器情報は、前記機器の組み合わせによって再生可能な前記コンテンツのフォーマット情報を含み、
前記通知情報生成部は、前記機器の組み合わせの能力として、より高度なフォーマットの前記コンテンツが再生可能であることを、より高く評価する情報を含む前記通知情報を生成する、
請求項１３に記載の情報処理装置。
【請求項１５】
前記ユーザが保有する前記コンテンツに関する保有コンテンツ情報を取得する保有コンテンツ情報取得部をさらに備え、
前記通知情報生成部は、前記保有コンテンツ情報にさらに基づいて、前記機能および前記機器の組み合わせの能力の一方または両方を評価する情報を含む前記通知情報を生成する、
請求項１３または１４に記載の情報処理装置。
【請求項１６】
前記保有コンテンツ情報は、前記ユーザが保有する前記コンテンツの数の情報を含み、
前記通知情報生成部は、前記ユーザが保有する前記コンテンツの数がより多い前記機能を、より高く評価する情報を含む前記通知情報を生成する、請求項１５に記載の情報処理装置。
【請求項１７】
前記機器情報は、前記機器の組み合わせによって再生可能な前記コンテンツのフォーマット情報を含み、
前記保有コンテンツ情報は、前記ユーザが保有する前記コンテンツのフォーマット情報を含み、
前記通知情報生成部は、前記機器の組み合わせの能力として、前記機器の組み合わせによって再生可能なフォーマットの前記コンテンツがより多く前記ユーザに保有されていることを、より高く評価する情報を含む前記通知情報を生成する、
請求項１５または１６に記載の情報処理装置。
【請求項１８】
前記機器情報は、前記機器の組み合わせによって消費される電力の情報を含み、
前記通知情報生成部は、前記機器の組み合わせの能力として、前記消費される電力がより小さいことをより高く評価する情報を含む前記通知情報を生成する、
請求項１〜１７のいずれか１項に記載の情報処理装置。
【請求項１９】
ネットワークを介して複数の機器を認識するステップ；
前記認識するステップにおいて認識された機器のうちの特定の機器の組み合わせについて、前記機器の組み合わせによってユーザに提供される機能、および前記機器の組み合わせの能力に関する機器情報を取得するステップ；
前記機器情報に基づいて、前記機能および前記機器の組み合わせの能力の一方または両方を示す情報を含む通知情報を生成するステップ、ならびに
前記通知情報を出力するステップ
を含む情報処理方法。
【請求項２０】
ネットワークに接続された複数の機器を認識する手段；
前記認識する手段によって認識された機器のうちの特定の機器の組み合わせについて、前記機器の組み合わせによってユーザに提供される機能、および前記機器の組み合わせの能力に関する機器情報を取得する手段；
前記機器情報に基づいて、前記機能および前記機器の組み合わせの能力の一方または両方を示す情報を含む通知情報を生成する手段、ならびに
前記通知情報を出力する手段
としてコンピュータを機能させるためのプログラム。
【手続補正２】
【補正対象書類名】明細書
【補正対象項目名】０００８
【補正方法】変更
【補正の内容】
【０００８】
上記課題を解決するために、本発明のある観点によれば、ネットワークを介して複数の機器を認識する機器認識部、上記機器認識部によって認識された機器のうちの特定の機器の組み合わせについて、上記機器の組み合わせによってユーザに提供される機能、および上記機器の組み合わせの能力に関する機器情報を取得する機器情報取得部、上記機器情報に基づいて、上記機能および上記機器の組み合わせの能力の一方または両方を示す情報を含む通知情報を生成する通知情報生成部、ならびに上記通知情報を出力する通知部を備える情報処理装置が提供される。
【手続補正３】
【補正対象書類名】明細書
【補正対象項目名】００１０
【補正方法】変更
【補正の内容】
【００１０】
上記情報処理装置は、上記ユーザが上記機能、または上記機器の組み合わせを利用した履歴に関する利用履歴情報を取得する利用履歴情報取得部をさらに含み、上記通知情報生成部は、上記利用履歴情報にさらに基づいて、上記機能および上記機器の組み合わせの能力の一方または両方を評価する情報を含む上記通知情報を生成してもよい。
【手続補正４】
【補正対象書類名】明細書
【補正対象項目名】００１１
【補正方法】変更
【補正の内容】
【００１１】
上記利用履歴情報は、上記機能の上記ユーザによる利用頻度の情報を含み、上記通知情報生成部は、上記ユーザによる利用頻度がより高い上記機能を、より高く評価する情報を含む前記通知情報を生成してもよい。
【手続補正５】
【補正対象書類名】明細書
【補正対象項目名】００１２
【補正方法】変更
【補正の内容】
【００１２】
上記情報処理装置は、上記利用履歴情報、および上記評価の結果に基づいて、上記ユーザに推薦すべき、上記機能および上記組み合わせの一方または両方を特定する推薦部をさらに備え、上記通知部は、上記推薦部によって特定された上記機能および上記組み合わせの一方または両方をさらに含む通知情報を生成してもよい。
【手続補正６】
【補正対象書類名】明細書
【補正対象項目名】００１３
【補正方法】変更
【補正の内容】
【００１３】
上記利用履歴情報は、上記機器の組み合わせの上記ユーザによる利用頻度の情報を含み、上記推薦部は、上記評価が第１の所定の閾値を上回る上記機器の組み合わせのうち、上記機器の組み合わせの利用頻度が第２の所定の閾値を下回る上記機器の組み合わせを特定してもよい。
【手続補正７】
【補正対象書類名】明細書
【補正対象項目名】００１４
【補正方法】変更
【補正の内容】
【００１４】
上記情報処理装置は、上記ネットワークを介して上記複数の機器を自動的に設定する機器設定部をさらに備えてもよい。
【手続補正８】
【補正対象書類名】明細書
【補正対象項目名】００１５
【補正方法】変更
【補正の内容】
【００１５】
上記情報処理装置は、上記複数の機器を設定する手順に関する設定手順情報を取得する設定手順情報取得部をさらに備え、上記通知部は、上記設定手順情報をさらに含む通知情報を生成してもよい。
【手続補正９】
【補正対象書類名】明細書
【補正対象項目名】００１６
【補正方法】変更
【補正の内容】
【００１６】
上記機器情報取得部は、上記機器情報を上記ネットワークに接続され上記複数の機器に関する情報が格納されたデータベースから取得してもよい。
【手続補正１０】
【補正対象書類名】明細書
【補正対象項目名】００１８
【補正方法】変更
【補正の内容】
【００１８】
上記通知部は、上記ネットワークを介して、上記複数の機器のうちの少なくともいずれかを通じて、上記通知情報を出力してもよい。
【手続補正１１】
【補正対象書類名】明細書
【補正対象項目名】００２０
【補正方法】変更
【補正の内容】
【００２０】
上記機器情報は、上記機器の組み合わせによって再生可能な上記コンテンツのフォーマット情報を含み、上記通知情報生成部は、上記機器の組み合わせの能力として、より高度なフォーマットの上記コンテンツが再生可能であることを、より高く評価する情報を含む上記通知情報を生成してもよい。
【手続補正１２】
【補正対象書類名】明細書
【補正対象項目名】００２１
【補正方法】変更
【補正の内容】
【００２１】
上記情報処理装置は、上記ユーザが保有する上記コンテンツに関する保有コンテンツ情報を取得する保有コンテンツ情報取得部をさらに備え、上記通知情報生成部は、上記保有コンテンツ情報にさらに基づいて、上記機能および上記機器の組み合わせの能力の一方または両方を評価する情報を含む上記通知情報を生成してもよい。
【手続補正１３】
【補正対象書類名】明細書
【補正対象項目名】００２２
【補正方法】変更
【補正の内容】
【００２２】
上記保有コンテンツ情報は、上記ユーザが保有する上記コンテンツの数の情報を含み、
上記通知情報生成部は、上記ユーザが保有する上記コンテンツの数がより多い上記機能を、より高く評価する情報を含む上記通知情報を生成してもよい。
【手続補正１４】
【補正対象書類名】明細書
【補正対象項目名】００２３
【補正方法】変更
【補正の内容】
【００２３】
上記機器情報は、上記機器の組み合わせによって再生可能な上記コンテンツのフォーマット情報を含み、上記保有コンテンツ情報は、上記ユーザが保有する上記コンテンツのフォーマット情報を含み、上記通知情報生成部は、上記機器の組み合わせの能力として、上記機器の組み合わせによって再生可能なフォーマットの上記コンテンツがより多く上記ユーザに保有されていることを、より高く評価する情報を含む上記通知情報を生成してもよい。
【手続補正１５】
【補正対象書類名】明細書
【補正対象項目名】００２４
【補正方法】変更
【補正の内容】
【００２４】
上記機器情報は、上記機器の組み合わせによって消費される電力の情報を含み、
上記通知情報生成部は、上記機器の組み合わせの能力として、上記消費される電力がより小さいことを、より高く評価する情報を含む前記通知情報を生成してもよい。
【手続補正１６】
【補正対象書類名】明細書
【補正対象項目名】００２５
【補正方法】変更
【補正の内容】
【００２５】
また、上記課題を解決するために、本発明の別の観点によれば、ネットワークを介して複数の機器を認識するステップ、上記認識するステップにおいて認識された機器のうちの特定の機器の組み合わせについて、上記機器の組み合わせによってユーザに提供される機能、および上記機器の組み合わせの能力に関する機器情報を取得するステップ、上記機器情報に基づいて、上記機能および上記機器の組み合わせの能力の一方または両方を示す情報を含む通知情報を生成するステップ、ならびに上記通知情報を出力するステップを含む情報処理方法が提供される。
【手続補正１７】
【補正対象書類名】明細書
【補正対象項目名】００２６
【補正方法】変更
【補正の内容】
【００２６】
また、上記課題を解決するために、本発明のさらに別の観点によれば、ネットワークに接続された複数の機器を認識する手段、上記認識する手段によって認識された機器のうちの特定の機器の組み合わせについて、上記機器の組み合わせによってユーザに提供される機能、および上記機器の組み合わせの能力に関する機器情報を取得する手段、上記機器情報に基づいて、上記機能および上記機器の組み合わせの能力の一方または両方を示す情報を含む通知情報を生成する手段、ならびに上記通知情報を出力する手段としてコンピュータを機能させるためのプログラムが提供される。
【手続補正１８】
【補正対象書類名】明細書
【補正対象項目名】０１０９
【補正方法】変更
【補正の内容】
【０１０９】
情報処理装置１００の機器認識部１０３は、通信部１０１を介して機器３００を認識するのに加えて、機器３００に追加、または機器３００のうちのいずれかを代替しうる機器を認識する。具体的には、機器認識部１０３は、機器３００に追加しうるビデオレコーダ３００ｘと、機器３００のうちの旧型テレビ３００ｙを代替しうる機器である新型テレビ３００ｚを認識する。機器認識部１０３は、機器情報取得部１０５が取得した機器情報の中の連携機能情報に含まれる、連携相手の機器種類の情報に基づいて、これらの機器を認識してもよい。例えば、機器３００がＤＬＮＡ（登録商標）に準拠している場合、携帯端末３００ｄの機能情報において、携帯端末３００ｄをＤＭＰとして用いる場合の連携相手であるＤＭＳの機器種類として「ビデオレコーダ」が取得できる。しかし、現時点でビデオレコーダは設置されていないため、機器認識部１０３は、ビデオレコーダ３００ｘを、機器３００に追加しうる機器として仮想的に認識する。また、ＮＡＳ３００ｃの機器情報において、ＮＡＳ３００ｃをＤＭＳとして用いる場合の連携相手であるＤＭＰの機器種類として「旧型テレビ」および「新型テレビ」が取得できる。現時点では、旧型テレビ３００ｙが設置されており、新型テレビ３００ｚは設置されていないため、機器認識部１０３は、新型テレビ３００ｚを、機器３００の中の旧型テレビ３００ｙを代替しうる機器として、仮想的に認識する。